(57)【要約】【課題】製品の位置情報管理システムと製品の産地立証方法、製品の位置情報を記録した非接触データキャリアを提供する。【解決手段】本発明の製品の位置情報管理システムは、製品の産地情報を高精度に把握するシステムであって、製品または製品のパッケージに非接触データキャリアを付することと、製品のＲＦＩＤデータベース１０を構築することによって、製品の収穫または生産段階において、少なくとも製品の収穫地または生産地に関する位置情報と位置情報取得時の時刻情報をＧＰＳにより取得し、当該位置情報と位置情報取得時の時刻情報を、前記非接触データキャリア１４１のシリアルナンバーと対応付けして、製品のＲＦＩＤデータベース１０に書き込みすることを特徴とする。製品の加工地や製造地、あるいは流通地点についても同様に位置情報管理をすることができる。【選択図】　　図２
2004086381.tif 000002
【特許請求の範囲】
【請求項１】
製品の産地情報を高精度に把握するシステムであって、製品または製品のパッケージに非接触データキャリアを付することと、製品のＲＦＩＤデータベースを構築することによって、製品の収穫または生産段階において、少なくとも製品の収穫地または生産地に関する位置情報と位置情報取得時の時刻情報をＧＰＳにより取得し、当該位置情報と位置情報取得時の時刻情報を、前記非接触データキャリアのシリアルナンバーと対応付けして、製品のＲＦＩＤデータベースに書き込みすることを特徴とする製品の位置情報管理システム。
【請求項２】
製品の加工地または製造地情報を高精度に把握するシステムであって、製品または製品のパッケージに非接触データキャリアを付することと、製品のＲＦＩＤデータベースを構築することによって、製品の製造段階において、少なくとも製品の製造地に関する位置情報と位置情報取得時の時刻情報をＧＰＳにより取得し、当該位置情報と位置情報取得時の時刻情報を、前記非接触データキャリアのシリアルナンバーに対応付けして、製品のＲＦＩＤデータベースに書き込みすることを特徴とする製品の位置情報管理システム。
【請求項３】
製品の流通ルート情報を高精度に把握するシステムであって、製品または製品のパッケージに非接触データキャリアを付することと、製品のＲＦＩＤデータベースを構築することによって、製品の流通段階において、少なくとも製品の流通地点に関する位置情報と位置情報取得時の時刻情報をＧＰＳにより取得し、当該位置情報と位置情報取得時の時刻情報を、前記非接触データキャリアのシリアルナンバーに対応付けして、製品のＲＦＩＤデータベースに書き込みすることを特徴とする製品の位置情報管理システム。
【請求項４】
製品の産地情報を高精度に把握するシステムであって、製品または製品のパッケージに非接触データキャリアを付することと、製品の収穫または生産段階において、少なくとも製品の収穫地または生産地に関する位置情報をＧＰＳにより取得し、当該位置情報を、前記非接触データキャリアに書き込むことを特徴とする製品の位置情報管理システム。
【請求項５】
製品の収穫地または生産地に関する位置情報と同時に位置情報取得時の時刻情報をＧＰＳにより取得し、前記非接触データキャリアに同時に書き込むことを特徴とする請求項４記載の製品の位置情報管理システム。
【請求項６】
製品の加工地または製造地情報を高精度に把握するシステムであって、製品または製品のパッケージに非接触データキャリアを付することと、製品の加工または製造段階において、少なくとも製品の加工地または製造地に関する位置情報をＧＰＳにより取得し、当該位置情報を、前記非接触データキャリアに書き込むことを特徴とする製品の位置情報管理システム。
【請求項７】
製品の加工地または製造地に関する位置情報と同時に位置情報取得時の時刻情報をＧＰＳにより取得し、前記非接触データキャリアに同時に書き込むことを特徴とする請求項６記載の製品の位置情報管理システム。
【請求項８】
製品の流通ルート情報を高精度に把握するシステムであって、製品または製品のパッケージに非接触データキャリアを付することと、製品の流通段階において、少なくとも製品の流通地点に関する位置情報をＧＰＳにより取得し、当該位置情報を、前記非接触データキャリアに書き込むことを特徴とする製品の位置情報管理システム。
【請求項９】
製品の流通地点に関する位置情報と同時に位置情報取得時の時刻情報をＧＰＳにより取得し、前記非接触データキャリアに同時に書き込むことを特徴とする請求項８記載の製品の位置情報管理システム。
【請求項１０】
位置情報と共に、ＧＰＳから取得した当該位置の高度情報を記録することを特徴とする請求項１から請求項９のいずれかの請求項に記載の製品の位置情報管理システム。
【請求項１１】
位置情報が経度と緯度に関する数値であることを特徴とする請求項１から請求項９のいずれかの請求項に記載の位置情報管理システム。
【請求項１２】
製品が食品または飲料であることを特徴とする請求項１から請求項９のいずれかの請求項に記載の位置情報管理システム。
【請求項１３】
製品の産地を立証する方法であって、製品または製品のパッケージに非接触データキャリアを付することと、製品のＲＦＩＤデータベースを構築することによって、製品の収穫または生産段階において、少なくとも製品の収穫地または生産地に関する位置情報と位置情報取得時の時刻情報をＧＰＳにより取得し、当該位置情報と位置情報取得時の時刻情報を、前記非接触データキャリアのシリアルナンバーと対応付けして、製品のＲＦＩＤデータベースに書き込みすることと、製品の産地について疑いがもたれた場合に、製品に付された非接触データキャリアのシリアルナンバーを手がかりにして前記ＲＦＩＤデータベースにアクセスし、製品の産地に関する位置情報と位置情報取得時の時刻情報を取得して製品の産地を立証することを特徴とする製品の産地立証方法。
【請求項１４】
位置情報と共に、ＧＰＳから取得した高度情報を記録して立証することを特徴とする請求項１３記載の製品の産地立証方法。
【請求項１５】
位置情報が経度と緯度に関する数値であることを特徴とする請求項１３記載の製品の産地立証方法。
【請求項１６】
製品または製品のパッケージに添付された非接触データキャリアであって、当該非接触データキャリアの記録メモリには、少なくとも製品の産地、収穫地、加工地、製造地、流通地点のいずれかに関して、ＧＰＳから取得した位置情報が記録されていることを特徴とする製品の位置情報を記録した非接触データキャリア。
【請求項１７】
位置情報と共に、ＧＰＳから取得した当該位置情報取得時の時刻情報が記録されていることを特徴とする請求項１６記載の製品の位置情報を記録した非接触データキャリア。
【請求項１８】
位置情報と共に、ＧＰＳから取得した当該位置の高度情報が記録されていることを特徴とする請求項１６記載の製品の位置情報を記録した非接触データキャリア。
【発明の詳細な説明】
【０００１】
【発明の属する技術分野】
この発明は、生産物、食品、化粧品、医薬品、日用雑貨品等の一般消費者向けの製品または製品パッケージに非接触データキャリアを付して行う産地／加工地／流通ルートの位置情報管理システム、等に関する。
【０００２】
【従来技術】
生産物や食品、化粧品、医薬品、日曜雑貨品等について市場が求める製品情報内容の高度化に伴い、従来からのパッケージに付される文字情報やバーコードでは、製品に付随する情報量に対して、表示できる情報記載量の限界が生じてきている。
また、バーコードは、製造メーカーから小売りまでの段階の情報伝達を目的とし、消費から廃棄といった部分での情報利用は予定されていず、実際に利用もしていない。従って、情報の分断という問題が生じている。
さらに、バーコードの類は、読み出し専用であり、データを修正できないか途中段階で次々に発生する管理情報を追記できないという問題がある。
【０００３】
そこで、ＲＦＩＤ（非接触データキャリア）を使用した食品や製品情報の管理システムとして、本願出願人により特開２００２−２２１７７号公報、特開２００２−４９９０５号公報等が提案されている。
特開２００２−２２１７７号公報は、加工食品の調理、栄養成分等の情報を蓄積したデータベースと個々の加工食品に付されたＩＤコードとにより必要な情報を必要なときに消費者がデータベースにアクセスして取得できるというものである。
また、特開２００２−４９９０５号公報は、パッケージに非接触データキャリアを付して行う情報の管理方法であって、製品の製造段階等において必要な情報を非接触データキャリアに書き込み、流通、小売り、消費、廃棄の各段階で、この情報を読み取ることと必要により書き込みして製品情報を管理するものである。
【０００４】
上記の公知技術は、多量の情報をＩＣメモリに記録し、かつ書き換えもでき、読み取り動作も早いことから、従来のバーコードシステムより情報の多角的利用や作業効率等の各面から効果的と考えられる。
しかし近年、製品の産地や加工工場のグローバル化が進展し、産地などの素材そのもののブランド保証だけではなく、産地の真正性や流通加工段階での加工・添加物処理や鮮度保持状態など製品に関する安全性、特に食品に対する安全性や信頼性の関心が顕著に高くなってきている。
【０００５】
従来から生産地、成分、消費期限などの表示が義務付けられてはいるが、流通加工段階での表示書き換えや虚偽表示などの事例も発生し、表示の信頼性について社会問題化してきている。
例えば、「食」に関する消費者へのアンケート調査によると、昨今の健康志向や環境ホルモン問題などの食品安全性に対する不安を背景に、「鮮度」「安全」「栄養」「健康」などについてより詳しい食品情報の開示を求めていることが判明している。しかし、生鮮食料品、加工食品の区別なく生産地や加工工場のグローバル化が進み、食材の生産地から加工流通の過程で発生する膨大な情報を、見合ったコストで正確に収集や記録を行い、誰もが必要な時に検索できる仕組みが望まれるものの、生産、加工、流通のシステムでは対応できていない。また、食品へ産地表示や消費（賞味）期限の記載についても人的要素が大きく、表示内容に対する不信感を完全に払拭することはできていない。
【０００６】
【発明が解決しようとする課題】
このような状況において、前記した公知技術はデータの多量処理や書き換え、追記等の要求には対応できるが、生産地や加工地、製造地、流通ルートを正しく記録しその真正性を証明できるか否かに関しては不十分であることが理解できる。すなわち、製造メーカーやブランドのみの記録では産地や加工地を真に立証することはできず、悪意の表示書き換えや虚偽表示を完全に防止することにも対応できないからである。
【０００７】
そこで、本発明では、生産物や食品、化粧品、医薬品、日用雑貨品等の一般消費者向けの製品や製品パッケージに非接触データキャリア（一般に、「ＲＦＩＤ」、「無線ＩＣタグ」、「非接触ＩＣ」、「非接触ＩＣラベル」、「非接触ＩＣタグ」等と表現される場合もある。）を付すると共に、産地等の位置情報や時刻情報を全地球測位システム（ＧＰＳ＝Ｇｌｏｂａｌ　Ｐｏｓｉｔｉｏｎｉｎｇ　Ｓｙｓｔｅｍ　）を利用して取得し、これを当該非接触データキャリアに書き込みすることで表示書き換えや虚偽表示を防止できることを着想し本発明の完成に至ったものである。
【０００８】
【課題を解決するための手段】
上記課題を解決するための本発明の要旨の第１は、製品の産地情報を高精度に把握するシステムであって、製品または製品のパッケージに非接触データキャリアを付することと、製品のＲＦＩＤデータベースを構築することによって、製品の収穫または生産段階において、少なくとも製品の収穫地または生産地に関する位置情報と位置情報取得時の時刻情報をＧＰＳにより取得し、当該位置情報と位置情報取得時の時刻情報を、前記非接触データキャリアのシリアルナンバーと対応付けして、製品のＲＦＩＤデータベースに書き込みすることを特徴とする製品の位置情報管理システム、にある。
【０００９】
上記課題を解決するための本発明の要旨の第２は、製品の加工地または製造地情報を高精度に把握するシステムであって、製品または製品のパッケージに非接触データキャリアを付することと、製品のＲＦＩＤデータベースを構築することによって、製品の製造段階において、少なくとも製品の製造地に関する位置情報と位置情報取得時の時刻情報をＧＰＳにより取得し、当該位置情報と位置情報取得時の時刻情報を、前記非接触データキャリアのシリアルナンバーに対応付けして、製品のＲＦＩＤデータベースに書き込みすることを特徴とする製品の位置情報管理システム、にある。
【００１０】
上記課題を解決するための本発明の要旨の第３は、製品の流通ルート情報を高精度に把握するシステムであって、製品または製品のパッケージに非接触データキャリアを付することと、製品のＲＦＩＤデータベースを構築することによって、製品の流通段階において、少なくとも製品の流通地点に関する位置情報と位置情報取得時の時刻情報をＧＰＳにより取得し、当該位置情報と位置情報取得時の時刻情報を、前記非接触データキャリアのシリアルナンバーに対応付けして、製品のＲＦＩＤデータベースに書き込みすることを特徴とする製品の位置情報管理システム、にある。
【００１１】
上記課題を解決するための本発明の要旨の第４は、製品の産地情報を高精度に把握するシステムであって、製品または製品のパッケージに非接触データキャリアを付することと、製品の収穫または生産段階において、少なくとも製品の収穫地または生産地に関する位置情報をＧＰＳにより取得し、当該位置情報を、前記非接触データキャリアに書き込むことを特徴とする製品の位置情報管理システム、にある。かかる製品の位置情報管理システムであるため産地情報を間違えることがない。
【００１２】
上記課題を解決するための本発明の要旨の第５は、製品の加工地または製造地情報を高精度に把握するシステムであって、製品または製品のパッケージに非接触データキャリアを付することと、製品の加工または製造段階において、少なくとも製品の加工地または製造地に関する位置情報をＧＰＳにより取得し、当該位置情報を、前記非接触データキャリアに書き込むことを特徴とする製品の位置情報管理システム、にある。かかる製品の位置情報管理システムであるため加工地または製造地情報を間違えることがない。
【００１３】
上記課題を解決するための本発明の要旨の第６は、製品の流通ルート情報を高精度に把握するシステムであって、製品または製品のパッケージに非接触データキャリアを付することと、製品の流通段階において、少なくとも製品の流通地点に関する位置情報をＧＰＳにより取得し、当該位置情報を、前記非接触データキャリアに書き込むことを特徴とする製品の位置情報管理システム、にある。
かかる製品の位置情報管理システムであるため流通地点情報を間違えることがない。
【００１４】
上記課題を解決するための本発明の要旨の第７は、製品の産地を立証する方法であって、製品または製品のパッケージに非接触データキャリアを付することと、製品のＲＦＩＤデータベースを構築することによって、製品の収穫または生産段階において、少なくとも製品の収穫地または生産地に関する位置情報と位置情報取得時の時刻情報をＧＰＳにより取得し、当該位置情報と位置情報取得時の時刻情報を、前記非接触データキャリアのシリアルナンバーと対応付けして、製品のＲＦＩＤデータベースに書き込みすることと、製品の産地について疑いがもたれた場合に、製品に付された非接触データキャリアのシリアルナンバーを手がかりにして前記ＲＦＩＤデータベースにアクセスし、製品の産地に関する位置情報と位置情報取得時の時刻情報を取得して製品の産地を立証することを特徴とする製品の産地立証方法、にある。かかる産地の立証方法であるため、産地の立証を間違えることがない。
【００１５】
上記課題を解決するための本発明の要旨の第８は、製品または製品のパッケージに添付された非接触データキャリアであって、当該非接触データキャリアの記録メモリには、少なくとも製品の産地、収穫地、加工地、製造地、流通地点のいずれかに関して、ＧＰＳから取得した位置情報が記録されていることを特徴とする製品の位置情報を記録した非接触データキャリア、にある。
【００１６】
【発明の実施の形態】
本発明は、高精度な位置、時刻情報をＧＰＳから取得することと、ＧＰＳから取得したデータを非接触データキャリア（ＲＦＩＤ）に記録すること、とを組み合わせて、製品の生産や加工、流通のそれぞれのプロセスにおいて、生産地や加工地（加工工場）、製造地、流通地点のそれぞれを、１つ１つの生産物や製造物、あるいは食品やそのパッケージに付けられた非接触データキャリアあるいは製品を統括するＲＦＩＤデータベースに正確かつ改ざん不可能な位置情報と好ましくは時刻情報を含めて記録し、生産地と加工、製造、物流経路の特定を容易にするシステムである。
【００１７】
このように生産物や加工・製造物、あるいは食品そのものの実体とそれに関わるメタ情報（産地、加工日時や内容、物流経路）を結びつけるシステムを構築し、よりオープンかつタイムリーな情報開示環境を作り上げることで、食品等の製造に関わるプロセスや業者の所在、日時、責任などを明確にし、食品等の製造の安全性や信頼性向上、不正の排除を可能にしようとするものである。
本発明は製品の位置情報を高精度に把握することを主観点としているが、位置情報と共に、製品に関わる各種の情報をメタ情報（業務系データベースから抽出される各種の履歴情報）として記録する特徴を有する。
【００１８】
まず、本発明を実施する手順と仕組みから説明することとする。
図１は、本発明システムの実施手順を説明する図、図２は、本発明システムの仕組みを説明する図である。
図１のように、牛乳を例とすれば、牛乳の生産地である採乳牧場１では、採乳牧場の位置情報と時刻情報をＧＰＳにより取得する。この位置情報と時刻情報データは、ＲＦＩＤライタ・ラベラにより非接触データキャリアに書き込まれ原乳１３の容器に添付される。
【００１９】
ここで、位置情報とは、採乳牧場１の緯度と経度に関する数値であり、好ましくはその土地の高度（海抜；平均海面からの高さ等）情報が付加される。時刻情報とは位置情報をＧＰＳから取得した時点における時刻であり、ＧＰＳにより同時に取得できるシステムが確立している。
逐一の採乳時点を特定するのが煩わしい場合は、原乳の出荷時点等で代表してもよいが、位置情報と時刻情報の取得時時刻が別のものであっては意味がなくなる。本発明では位置情報取得時の当該位置を特定するのが目的だからである。
採乳牧場１の測位位置は、牧場の主要事務所の位置等で代表してもよい。
【００２０】
非接触データキャリアに書き込まれる情報は、位置情報と時刻情報に限らず、製品の品名やロット番号、事業者名（牧場名）や事業所所在地等が含まれるのはもちろんであり、これらの詳細については後述する。
非接触データキャリアに書き込まれる情報は、さらにインターネット等を通じて、例えば管理組合や団体が構築するＲＦＩＤデータベースに送信され、サーバーに蓄積される。あるいは容器には牧場名やロット番号等のみを記録し位置情報は、ＲＦＩＤデータベースにのみ送信して記録するものであってもよい。
【００２１】
原乳１３は加工工場２に輸送されて、殺菌や成分調整、ミルクカートンへのパッケージ詰め等の処理、加工がなされる。このプロセスにおいても、加工工場の位置情報と時刻情報がＧＰＳから取得される。
ミルクカートン１４には非接触データキャリアが付され、この非接触データキャリアには、同様に位置情報と時刻情報が記録される。この際、原乳１３採取の牧場の位置情報と時刻情報はロット番号等で特定できるようにし、カートンへの転記はなされなくても良い。
ミルクカートン１４の非接触データキャリアに記録されたデータは同様にＲＦＩＤデータベースに送信される。
【００２２】
次に、製品である牛乳（ミルクカートン）は、小売店に輸送される。牛乳の輸送は低温輸送されることが必要であるが、流通地点の位置情報が特定されれば、輸送手段もある程度の特定が可能である。一定の輸送業者であれば、信用を維持するため定められた輸送手段を採用すると考えられるからである。
従って、牛乳製品の輸送地点、すなわちある流通地点３においても、位置情報と時刻情報をＧＰＳから取得し非接触データキャリアに記録する。あるいは、非接触データキャリアには記録しないで、ＲＦＩＤデータベースにみ送信し記録するものであってもよい。
【００２３】
牛乳（ミルクカートン）が小売店４に出荷された際には、消費者５に販売するまでの間、製品は低温棚に保管される。この段階においても小売店４の位置情報と時刻情報をＧＰＳから取得してカートンの非接触データキャリアに記録することができる。あるいは、非接触データキャリアには記録しないで、ＲＦＩＤデータベースにみ送信し記録するものであってもよい。
最終的に牛乳（ミルクカートン）は、消費者５に販売されて消費されることになる。
【００２４】
次に、図２に基づいて本発明の仕組みについて説明する。
図２は、位置情報と時刻情報がＧＰＳ衛星８によるＧＰＳ（全地球測位システム）により取得され、取得された情報がＲＦＩＤデータベース１０に蓄積されることを示している。
例えば、採乳牧場が北海道に有るとすれば、当該牧場で位置情報と時刻情報のＧＰＳ信号が図示しない受信機により受信され、当該受信信号に基づいて位置情報が算出される。
【００２５】
ＧＰＳは、カー・ナビゲーション・システムの位置測定手段として広く採用されている。上空２万１０００ｋｍの軌道を２４個のＧＰＳ衛星が周回しており、最低３個の衛星からの電波を受信できれば、２次元（緯度、経度）の位置測定ができ、４個以上の衛星からの電波を受信できれば、海抜を加えた３次元の位置測定ができることは良く知られている。
カー・ナビゲーション・システムはマン・ナビゲーション・システムとしての展開も検討されており、簡易な位置計測システムの開発が実現している。
【００２６】
位置測定の際、時刻情報も同時に取得でき、測定位置と測定時刻を分離するような情報の偽造を不可能にすることができる。また、一定の牧場から同日に採乳できる量は限られており、偏った採乳量のデータは虚偽の内容が含まれることが類推できる。さらに、当該牧場に無関係の者が、偽って位置情報を得ようとしても当該地点になければ、正しい位置情報が得られないので、他人が虚偽の情報を取得することは不可能となる。
【００２７】
取得した位置情報と時刻情報はＲＦＩＤライタ・ラベラ１２により非接触データキャリアに記録され、原乳容器にラベリングされる。ＲＦＩＤライタ・ラベラとは、非接触データキャリアに記録し、非接触データキャリアラベルを容器やパッケージに貼着する装置を意味する。
同時に、取得し記録したデータがインターネット６を通じて、管理組合や団体が構築するＲＦＩＤデータベース１０に送信される。この際、送信データは非接触データキャリア１４１のＩＣチップに記録されているシリアルナンバーに対応して（紐付けして）送信することになる。このシリアルナンバーは固有のナンバヒーで重複しないナンバーが付されることは良く知られている。
管理組合や団体には、既存食品に関するデータベース１１も備えられていて、消費者等が、非接触データキャリアの付いた食品の詳細内容を知る必要がある場合は、当該ＲＦＩＤデータベースの内容を参照することができる。
【００２８】
原乳は北海道内の加工工場２に輸送されて殺菌や一定の成分調整、ミルクカートン詰め等の加工がされる。この際も工場の位置情報と時刻情報をＧＰＳから取得し記録することは、所定の工場で処理されたものであることを立証する意味で有意義となる。
さらに、加工済みの牛乳（ミルクカートン）１４は、低温輸送されて消費地に運ばれる。この際も、流通地点（配送所や道路の一定地点等）の位置情報と時刻情報をＧＰＳから取得し記録することは、所定の地点を経て輸送されたものであることを立証する意味で有意義となる。
【００２９】
消費地の小売店４は、牛乳（ミルクカートン）１４が着荷した際に、同様に位置情報と時刻情報を取得して記録することができる。製品が正規のルートで販売されていることを証明することができ、正しい販売店であれば、低温保存等の条件が遵守されるからである。また、牛乳を消費する消費者５もいつもの販売店の商品であれば安心して飲用できる。
【００３０】
本発明のシステムの他の利点は、ＧＰＳから取得した位置情報と時刻情報がＲＦＩＤデータベース１０に蓄積されているので、生産者、加工者、流通業者、小売店、消費者のそれぞれが、必要な場合にＲＦＩＤデータベース１０にアクセスして当該情報を確認できることである。これにより、製品が正しい生産地で得られ、所定の加工や製造業者により加工、製造、流通したものであることを確認することができる。
一方、生産者や加工、製造業者は、もし製品の信頼性について疑いがもたれた場合には、位置情報や時刻情報をＲＦＩＤデータベース１０にアクセスして取得し、正しい製品であことを立証することができる。
【００３１】
本発明に使用する非接触データキャリア１４１は、非接触で外部のリーダライタと交信可能なこと、ＩＣチップのメモリー領域には各種のデータを記憶して、各種情報記憶に利用可能であることはよく知られている。
非接触データキャリアのＩＣチップには、必要により追記可能なメモリー領域を残し、加工、製造段階のみならず、生産、流通、小売りの各段階で必要な情報を記録して利用できる必要がある。
【００３２】
特に、本発明の非接触データキャリアには、ＧＰＳから取得した位置情報が記録されている特徴がある。
非接触データキャリアは、プラスチック等の基材に設けられたアンテナと容量素子とにより、ＬＣ共振回路を形成して一定周波数の電波を受信して応答することができる。一般的には１２５ｋＨｚ、１３．５６ＭＨｚ、２．４５ＧＨｚ、５．８ＧＨｚ（マイクロ波）の周波数帯が使用される。
【００３３】
カートンやラベルへの記録内容は、位置情報と時刻情報の他に、原材料の種類や栄養成分、カロリー量、調理方法や調理時間、賞味期限、製造年月日等の内容が有るが、ＲＦＩＤデータベースに蓄積されるデータは、各加工食品について、少なくともパッケージやラベルの表示内容の一部を記録しているほか、ＩＤコードに対応して、それに関連する情報を広く蓄積できる。
【００３４】
加工食品の場合、以下の情報をさらに蓄積することが行われる。
▲１▼加工食品の製造メーカー事業者名、その国籍、▲２▼加工食品の品目アイテム名、▲３▼製造年月日・時間、消費期限、賞味期限、▲４▼内容物表示（原材料、添加物、保存料、他）、▲５▼内容物重量、▲６▼調理方法、調理時間、▲７▼栄養成分、含有量、▲８▼カロリー、▲９▼流通温度帯、等である。
【００３５】
次に、ＲＦＩＤデータベースに蓄積するデータの内容についてさらに詳細に説明する。表１は、食品メタデータの構造例を示す表、表２〜表５は、各プロセスで追記される食品メタデータ追記例を示す表である。
【００３６】
【表１】
2004086381.tif 000003
【００３７】
表１のように、データフォーマットにおける記録項目は、ＩＤ、分類、品名、品名コード、プロセス、プロセスコード、ロット番号、（製造）ライン番号、事業所在地、事業者、事業者コード、経度、緯度、高度、時刻、特記事項、等の情報である。このうち、ＧＰＳより取得できる情報は、前記のように経度、緯度、高度、時刻情報、である。
これらの記録バイト長は、表１中に記録のとおりであるが、全体で９６２バイトとなる。特記事項の項内には、前記した原材料や製造年月日、賞味期限、等のデータを記録することもできる。ＩＣチップのシリアルナンバーは、チップメーカー等が記録するもので、上記以外のデータとなる。
【００３８】
【表２】
2004086381.tif 000004
【表３】
2004086381.tif 000005
【００３９】
表２は、初期登録のデータであって、産地情報が記録されている。生乳は、北海道日高市のａｂｃ牧場で採取されたことが記録され、ＧＰＳにより取得した経度、緯度、高度、時刻の情報も記録されている。
表３は、加工工場における追記データであって、加工情報が追記されている。生乳は、北海道千歳市のｄ乳業で殺菌され、処理されたことが記録されている。ＧＰＳにより取得した経度、緯度、高度、時刻の情報も記録されている。
【００４０】
【表４】
2004086381.tif 000006
【００４１】
表４は、流通地点における追記データであって、流通地点が４箇所追記されている。生乳は、北海道千歳市のｄ乳業で殺菌され、処理された後、苫小牧市、函館市、青森市、仙台市を経て輸送されていることが示されている。輸送事業者はいずれもｅｆ運輸である。ＧＰＳにより取得した経度、緯度、高度、時刻の情報も同様に追記されている。
【００４２】
【表５】
2004086381.tif 000007
【００４３】
表５には、生乳が最後に東京世田谷区のｈ屋に着荷したことが販売店により追記されている。生乳は、低温棚に正しく保存されている。
【００４４】
以上のＲＦＩＤデータベースに蓄積するデータ内容は適宜に変更することができ、また、その幾つかと他のデータを非接触データキャリアに追加記録することができる。
以上の実施例における説明においては、主として牛乳の生産、加工、流通のルートについて説明しているが、本発明が牛乳や食品に限定されるものではなく、せい産地や収穫地、あるいは加工、製造地の真正性が求められる化粧品、医薬品、日曜雑貨品等の製品、物品、に適用できることは当業者には容易に理解できることである。
【００４５】
【発明の効果】
上述のように、本発明の位置情報管理システムや製品の産地立証方法によれば、製品や商品、食品の生産地や収穫地、あるいは加工や製造地点、流通地点を容易かつ確実に表示し、あるいは立証することができる。
したがって、生産地等の真正性が確実な製品、商品、食品等は本システムを積極的に利用することで自ら証明することができ、逆に当該記録の無い製品等はその証明ができないものとなるので、虚偽の表示や不正表示の余地を無くし、それらの減少を図ることができる。
【図面の簡単な説明】
【図１】本発明システムの実施手順を説明する図である。
【図２】本発明システムの仕組みを説明する図である。
【符号の説明】
１　　採乳牧場
２　　加工工場
３　　流通地点
４　　小売店
５　　消費者
６　　インターネット
８　　ＧＰＳ衛星
１０　　ＲＦＩＤデータベース
１１　　既存食品データベース
１２　　ＲＦＩＤライタ・ラベラ
１４　　ミルクカートン
１４１　　非接触データキャリア
【図１】
2004086381.tif 000008
【図２】
2004086381.tif 000009